(57)【要約】【課題】（１）発進側立坑のみの作業で、導管のセットと直管のみならず曲管である鞘管内への導管挿入を可能とするする事。（２）先頭導管にある程度の安定度を保ちつつ回頭自在性を与える事。（３）導管のずれや曲りを許容しつつ、導管の回転を抑制し、安定化させる事。【解決手段】接合部をまたぐ、フレキシブル性のある複数のタイロッドで結ばれた２箇以上の支持板に遊嵌された導管を、鋼索を係止された横木と自在枢着された押圧板とで押圧し、鞘管内に挿入する。なお、導管と支持板内壁との摩擦力の和をＦとし、車輪等を介した鞘管内床面ないしガイドと支持板との摩擦力の和をＲとした時、Ｆ＞Ｒとする必要がある。【選択図】          図１
2005060936.tif 000002
【特許請求の範囲】
【請求項１】
丸管ないし多角形管でなる比較的大径の鞘管に、比較的小径の１本以上の導管を発進側立坑より挿入する鞘管内導管布設方法において、導管の端部端外もしくは端部近傍端内で該導管を遊嵌し該導管の軸方向に大略平行な軸を持つ２本以上のタイロッドで互いに結合されている少なくとも１対の内径クリアランス付き支持板Ａと同支持板Ｂ（および同支持板Ｃ、Ｄ…）を付設し、導管の後端部を押圧する押圧板を回動・傾斜自在に枢着した横木を導管の略軸方向に押圧する事により、導管を当該鞘管に挿入する事を特徴とする鞘管内導管布設方法。
【請求項２】
横木端部付近に係止した複数の鋼索を、被挿入鞘管入口付近に配設された滑車を介してウインチで引張る事により、導管を当該鞘管に挿入する請求項１に記載の鞘管内導管布設方法。
【請求項３】
導管に略平行に配設されたフック付き油圧シリンダによって横木を導管の略軸方向に押圧する事により、導管を当該鞘管に挿入する請求項１に記載の記載の鞘管内導管布設方法。
【請求項４】
支持板下部に車輪もしくは摺動ソリを付設し、挿入抵抗を減じた請求項１ないし３に記載の鞘管内導管布設方法。
【請求項５】
支持板内壁と導管との摩擦力の和をＦとし、支持板下部の摺動ソリないし車輪を介した鞘管内床面ないしガイドとの摩擦力の和をＲとする時、Ｆ＞Ｒであるように支持板が導管を遊嵌する請求項１ないし４に記載の鞘管内導管布設方法。
【請求項６】
車台および／もしくは車輪懸架装置にセルフアラインメント（Ｓｅｌｆ  Ａｌｉｇｎｍｅｎｔ）機構を組込み、導管行路を自動最適制御する請求項１ないし５に記載の鞘管内導管布設方法。
【請求項７】
鞘管底部にガイドを敷設し、導管が最適行路を辿るようにした請求項１ないし６に記載の鞘管内導管布設方法。
【請求項８】
押圧板と横木の間にボールジョイントおよび／もしくはボールベアリングおよび／もしくはローラベアリングを介装し、前記押圧板と横木とを自在枢着した事を特徴とする鞘管内導管布設装置。
【請求項９】
ガイドが、少なくとも一方のガイドに脱線防止補助レールを持ち並行する１対のレールである請求項８に記載の鞘管内導管布設装置。
【請求項１０】
支持板がセルフアラインメント機構を備える車輪付き支持板である請求項９に記載の鞘管内導管布設装置。
【発明の詳細な説明】
【０００１】
【発明の属する技術分野】
本発明は、鞘管内導管布設方法およびそのための装置に関し、より詳しくは複数本のタイロッドで結合された２箇以上の支持板で繋いだ複数の導管（上中下水道、ガス等の流体輸送用もしくは電力ケーブル、光ファイバー用）を発進側立坑で後方より押圧して鞘管内に挿入する鞘管内導管布設方法およびそのための装置に関する。
【０００２】
【従来技術】
従来、鞘管内導管布設方法および装置としては、▲１▼発進側、到達側の両立坑を開放し、発進側から導管をセットして到達側より引っ張る方法及び装置、▲２▼発進側立坑より油圧シリンダを使用して導管を押圧する方法及び装置、▲３▼鞘管内の底部に平らなコンクリート床を設けて導管に台車を取付けて挿入する方法及び装置、などがあったが、次のような問題点があった。
【０００３】
（ａ）到達側立坑より引っ張る方法では、両立坑に危険防止措置（安全管理）が必要となるため誘導員を配置しなければならず、更に安全機材等の経費の増加を招き、地域環境（対歩行者、付近住民、通行車両）を悪化させていた。（ｂ）到達側立坑より引っ張る方法では導管が糸のように一本の線になるので鞘管のずれや曲りに対応困難であるため、導管が鞘管内壁に強く接触したり、台車や導管支持車輪の脱線、転倒を起す恐れがあった（図１４，１５，１６参照）。（ｃ）従来のような直列配置の油圧シリンダで以て、本発明のように自在枢着された押圧板無しに直接導管後端を押圧する方法では機材が比較的長大になり勝ちであり、それに伴い立坑も大きくする必要があるため経費が増加するだけでなく、導管の鞘管内ステアリングが期待できないため、実用性が乏しかった。（ｄ）コンクリートを床面に打設して台車を導管に取付けて挿入する方法では、鞘管内でのコンクリートの傾きや鞘管接合部における鞘管の折れが生じる事があり、曲線における横力が発生する導管の推進（カーブ推進）では台車の転倒等の恐れもあった（図１４，１５参照）。
【０００４】
また従来、特許出願されている鞘管内導管の布設手段としては、例えば（１）特開平１０−４７５４９と（２）特開２００１−３４９１７７とがあり、（１）は、例えば鞘管内にモノレール懸垂式の複数導管支持孔を有する少なくとも１対の支持板（１対が１単位）で支承された導管を鋼索と滑車を用いてウインチで導管頭部の支持板を引張る手段であり、また（２）は並列油圧シリンダで押し引きする事により、鋼索および滑車を介して増倍したストロークで発進立坑と到達立坑の間に横たわる鞘管内に導管を押圧挿入するものであった。しかしこれらの従来技術では、押圧板には本発明のような自在継手はなく、導管後端部フランジの一部を油圧シリンダ先端部のフックで引掛けて押圧するものであった。これでは立坑を深く掘り下げなければならず油圧装置はコストアップを免れなかったし、（２）では複数本の導管を同時挿入する事は出来なかった。
【０００５】
（１）の実施例では、例えば鞘管がヒューム管である場合、鞘管自体を充分補強した上で懸垂用のモノレールを鞘管天井部に予め敷設しておく必要があり、また前記モノレールを袴座する台車を強固なものにする必要があって、工数を要し、またコンベックス床面にトロッコのように予め１対のレールを敷設しておく方式では、床面自体を補強すると共に接続部でも容易に台車が脱線しないように滑らかな接続部を構成する必要があり、コストと手間が掛るという問題があった。
【０００６】
また前記のように油圧シリンダを平行配置する場合には、発進側立坑内にそのためのラジアル乃至長手方向スペースを要し、構造が複雑化すると共に多条掛けの鋼索切断の場合には、回復に相当の時間と経費を要すると共に安全上の問題もあり、長所はありながら、一方でコスト面や安全面での問題点を残していた。
【０００７】
また従来の鞘管内導管挿入技術では、主として接続部で折れ曲がり、若干の弾性変形もする導管に対し、曲げモーメント並びに回転モーメントが加わり、場合によっては局部的な応力が加わり、それに伴う歪みが生じる危険があり、また時には前述のとおり鞘管内で台車が転覆する事さえあり（図１４，１５，１６参照）、加えてそのために鞘管や導管に破壊や導管腐食の生じる事もあったので、これらの局部応力、歪みの緩和が望まれていたが、作業条件の悪い地中でこれを実行する事は至難の業であつた。
【０００８】
そこで本発明者等は鋭意検討の結果、セルフアラインメント（ｓｅｌｆ  ａｌｉｇｎｍｅｎｔ）の技術思想を導入して車台を改善して導管行路を安定化すると共に押圧板と横木の間を自在枢着する事によりこれらの問題点の解決に成功した。
【０００９】
【発明の目的】
本発明の目的は、
発進側立坑のみで導管のセットと鞘管内への導管挿入を可能とし、導管挿入目的のための到達側立坑の省略を図る事であり、カーブのある鞘管に導管を挿入する場合にも発進側立坑のみで作業を可能とする事であり、また先頭導管にある程度の安定度を保ちつつ回頭自在性を与える事であり、また導管のずれや曲りを許容しつつ、過度な回転を防止し、かつ台車のためのガイドを用いる時は勿論、用いない時もセルフアライニング機構による自己安定化機能により、挿入導管に最適行路を選ぶようにさせる事であり、従って台車すなわち支持板の進行を安定化させ、脱線や転覆を防止する事である。加えて若干ながら前後斜めの動きを許す導管間の自在継手接合部位置を中立点付近に保つ事である。
【００１０】
【発明の構成】
本発明により、次のような課題の解決手段が提供される。
【００１１】
すなわち本発明により、
丸管ないし多角形管でなる比較的大径の鞘管に、比較的小径の１本以上の導管を発進側立坑より挿入する鞘管内導管布設方法において、導管の端部端外もしくは端部近傍端内で該導管を遊嵌し該導管の軸方向に大略平行な軸を持つ２本以上のタイロッドで互いに結合されている少なくとも１対の内径クリアランス付き支持板Ａと同支持板Ｂ（および同支持板Ｃ，Ｄ…）を付設し、導管の後端部を押圧する押圧板を回動・傾斜自在に枢着した横木を導管の略軸方向に押圧する事により、導管を当該鞘管に挿入する事を特徴とする鞘管内導管布設方法（請求項１）、
横木端部付近に係止した複数の鋼索を、被挿入鞘管入口付近に配設された滑車を介してウインチで引張る事により、導管を当該鞘管に挿入する請求項１に記載の鞘管内導管布設方法（請求項２）、
導管に略平行に配設されたフック付き油圧シリンダによって横木を導管の略軸方向に押圧する事により、導管を当該鞘管に挿入する請求項１に記載の記載の鞘管内導管布設方法（請求項３）、
支持板下部に車輪もしくは摺動ソリを付設し、挿入抵抗を減じた請求項１ないし３に記載の鞘管内導管布設方法（請求項４）、
支持板内壁と導管との摩擦力の和をＦとし、支持板下部の摺動ソリないし車輪を介した鞘管内床面ないしガイドとの摩擦力の和をＲとする時、Ｆ＞Ｒであるように支持板が導管を遊嵌する請求項１ないし４に記載の鞘管内導管布設方法（請求項５）、
車台および／もしくは車輪懸架装置にセルフアラインメント（Ｓｅｌｆ  Ａｌｉｇｎｍｅｎｔ）機構を組込み、導管行路を自動最適制御する請求項１ないし５に記載の鞘管内導管布設方法（請求項６）、
鞘管底部にガイドを敷設し、導管が最適行路を辿るようにした請求項１ないし６に記載の鞘管内導管布設方法（請求項７）、
押圧板と横木の間にボールジョイントおよび／もしくはボールベアリングおよび／もしくはローラベアリングを介装し、前記押圧板と横木とを自在枢着した事を特徴とする鞘管内導管布設装置（請求項８）、
ガイドが、少なくとも一方のガイドに脱線防止補助レールを持ち並行する１対のレールである請求項８に記載の鞘管内導管布設装置（請求項９）
および支持板がセルフアラインメント機構を備える車輪付き支持板である請求項９に記載の鞘管内導管布設装置（請求項１０）が提供される。
【００１２】
以下に実施例により、本発明を詳細に説明する。
【００１３】
【実施例】
図１はウインチで鋼索を介して導管を引張るレールを用いた実施例１の側面図、図２は図１の要部平面図、図３は図１のＡ−Ａ矢視図、図４は図３のＣ−Ｃ矢視図、図５は図１の要部Ｂ−Ｂ矢視図、図６は油圧シリンダで押圧する実施例２の側面図（ないし平面図）、図７は曲管である鞘管に接合導管を挿入する実施例１または２の平面断面図、図８は支持板のタイロッド接合部拡大断面図、図９は直管である鞘管に接合導管を挿入するレールなし実施例３の平面図ないし側面図、図１０は接合導管先端部の軸方向断面図、図１１は２番目の接合導管の軸方向矢視断面図、図１２は複数導管を同時に鞘管内挿入する実施例３の斜視図、図１３はフレシキブル導管接合部の断面図、図１４は曲管である鞘管に直管に近い接合導管を挿入する従来技術、図１５は車台が転倒に至る従来技術、図１６は車輪付き導管が転倒に至る従来技術である。
【００１４】
図１乃至１６において、
１は鞘管、２は導管、２Ａ，２Ｂは導管接合部、２Ｃは内面コート、３は支持板、３Ａはタイロッド接合部、３Ｂは導管支持孔、３Ｃは導管位置決めボルト、３Ｄはブラケット、４は車台、４Ａ，４Ｂ，４Ｃ，４Ｄは車輪、４Ｅは鞘管内壁と支持板の接触防止のための車輪、５は押圧板、５Ａはハンガー、６はボールジョイント、６Ａはダブルナット、６Ｂはボルト、７は横木、７Ａはテーパローラベアリング、８は鋼索、９は鋼索係止部、１０は滑車、１１はウインチ、１２はリール、１３はガイド（レール）、１３Ａはアングルレール、１３ＢはＬ型平レール、１５はパッキング、１６は移動溝、１６Ａ，１６Ｂ，１６Ｃはストッパ、Ｌは移動全ストローク、１７はリングストッパ、１８はボルト、１９はナット、２０はタイロッド、３０は油圧シリンダ、３１はピストンロッド、３２はフック、１００は発進側立坑である。
【００１５】
図１〜７において、
発進側立坑１００の床面（鞘管内壁床面とほぼ同レベル）上に敷設されたレール上に、接合された導管２，２を遊嵌するところの、４本のタイロッド２０，２０，２０で繋がれた１対の支持板３，３（支持板Ａ，Ｂ）が各支持板３，３下部に枢着された車輪４Ａ，４Ｂを介して戴置されている。
【００１６】
２Ｂで接合された２本の導管（例えばダクタイル鋳鉄管）の後端部には押圧板５とこれに水平にボールジョイント６を介して自在接合（枢着）された横木７を備え、横木７の両端部には２本の鋼索８，８が略レールと平行して滑車１０，１０に結ばれており、滑車１０，１０に方向を変えられた２本の鋼索８，８は両方からウインチ１１のリール１２に巻き取られようになっている。
【００１７】
なお、図５ないし図１２で明らかなように導管２は支持板の導管支持孔３Ｂにクリアランスを以て遊嵌されているので、１対の支持板３，３との間に生じる摩擦力ｆ１＋ｆ２…＋ｆｎ＋…＝Ｆは車輪４Ａ，４Ｂのレールとのコロガリ摩擦抵抗ｒ１＋ｒ２…＋ｒｎ＋…＝Ｒよりも一般に大きいから、すなわち、Ｆ＞Ｒであるからウインチ１１により１対の鋼索８，８と横木７とボールジョイント６および（スラスト）テーパローラベアリング７Ａを介して後端部を押す力が４本のタイロッドを伝わって前後の支持板３，３を前進させ、結果的に接合された２本の導管は鞘管１内に挿入される。なお、この場合前方導管にも更にもう１箇の支持板３（Ｔ）を配設して、予め真中の支持板３（Ｍ）とタイロッドで結んでおくと作業がやり易いが、レール敷設が間に合わない時には、単に車台（または車輪）もしくは摺動ソリを以て最先導管を支承させておけば足りる。なお、横木７はボールジョイント６を介して押圧板５の少し大き目の中心孔（図示せず）の皿状受圧面（図示せず）にこれを貫通するボルト６Ｂとダブルナット６Ａで緩く枢着されている。
【００１８】
つまりＴｏｔａｌのＦ＞Ｒの条件が保たれれば良い。この時、タイロッドは弾性収縮して支持板間の位置決めに寄与し、若干の摩擦抵抗の変動があっても、また鞘管や導管の曲折に会っても、最適行路を自ら選んで導管挿入が行われる。
【００１９】
また横木７は馬車の牽引用のそれに似ているが、作用効果も同様であり、更に中央部にはボールジョイント６と（スラスト）テーパベアリング７Ａとでフレキシブルに押圧板５を支承するので、鋼索８，８の弾性伸びと合わさって図２のように導管２，２が傾斜して、横木と直交しなくてもスムーズに押圧力を伝える。
この時ウインチ１１のリール１２は左右２分割として独立駆動とする事により、１対の鋼索間に張力差を与えて導管をステアリングする事も出来る。なお、滑車１０，１０は図２のように鞘管端部に固着しても良いが、地上にウインチ１１を設置するなどしても良く、位置は特に限定されない。なお滑車は更に増設しても良い。
【００２０】
レール１３，１３はこの実施例では一方が三角形山形断面のアングルであり、他方は平レールであるが、共に容易に脱線しないで支持板３，３ひいては導管２，２の挿入方向位置決めを確保するため、脱線防止用のフランジを持った脱線防止レールとなっている。なお、片方を平レールとして若干の巾方向移動を許しているのは、アングルレール２本では浮き上り脱線の危険があるので、これを避けるためである。
【００２１】
また図３，図４で見出せる押圧板５の頂部ハンガー５Ａは、押圧板５と横木７でなるユニットを導管上に吊下するためのものであるが、有効な手段である。横木のテーパローラベアリング７Ａは、横木７と押圧板５との傾きが一定以上に大きくなった時に押圧板５のフランジ部と接するようにしてある。これは小径のローラまたはボールを多数並べたスラストベアリングであっても良い事は勿論である。
【００２２】
またタイロッド接合部３Ａは単にタイロッド２０を支持板３にやや隙間クリアランスを以て接合するのみで良いが、図８のように支持板３側に少しタイロッド径よりもやや大き目の孔を開け、断面ローマ数字２型の、糸捲き型ゴムまたはエラストマー（弾性プラスチック）製緩衝材をかませ、更に金属製ワッシャ（スプリングワッシャでも良い）を介してナット等で係止するのが良い。
【００２３】
またタイロッド２０，２０は各支持板で一旦切った方が、長いタイロッドで一度に２以上の支持板を繋ぐよりも緩衝効果が優れるメリットがある。
【００２４】
次に図９，１０，１１，１２はレールを用いず、支持板１３の下に直接または台車４を介して鞘管１のコンベックス床面に接する車輪４Ｃ，４Ｄでタイロッド支持板及び導管を支承する実施例２及び３を示している。
【００２５】
図１０は導管先端部を進行方向より見た図であり、図１１は導管中、後部を進行方向から見た断面図である。これらの場合鞘管１内で導管２とする支持板３の重量を支承するのは重い車輪４Ｃ，４Ｄであり他の車輪４Ｅは導管や支持板が鞘管１の内壁１Ａと接触し、摩擦を生じるのを防ぐための位置決め用軽量車輪である。この車輪４Ｅ、４Ｅ…は特にコイルスプリングとオイルダンパー（オレオサスペンション）とし、常に鞘管１の内壁１Ａと接して均等に加圧するようにする事も出来る。
【００２６】
また、先述の車輪４Ｃ（先端部）は特に導管先端部ステアリングも受け持つため、適当なトーイン角を与える事が好ましい。キャンバーについては床面がＣｏｎｖｅｘである限りはラジアル方向（図１１の４Ｄ）で充分であるが、更にキャンバー、インバースキャンバーも必要に応じて与える事が出来る。通常は図１０の如く先端部にトーイン、中、後部には図１１の如きラジアル方向キャンバーないし鉛直キャンバーを与えるのが望ましい。
【００２７】
これらにより、自動車のステアリング機構のようなＳｅｌｆ  Ａｌｉｇｎｍｅｎｔ効果が生まれ、車輪をスプリングやゴム等で弾性的に支持する場合もトーイン、キャンバー、キャスター（キングピン角）の初期段階等により自重を利用したＳｅｌｆ  Ａｌｉｇｎｍｅｎｔ機能を期待する事が出来る。この効果は特に何らかの原因で鞘管内にイレギュラーな凹凸が生じている時などの自己姿勢回復に有効である。
これらの支持車輪４Ｃ，４Ｄの配置（アラインメント）は枢着部を含む懸架装置（サスペンション）または車台の一方または両方で固定的ないし弾性的に行う事が出来る。弾性的配置では、センタリング作用を付与する事も容易である。
【００２８】
図１２は複数の各サイズ導管例えば上、中、下水道、ガス、油、電力用、電信用ケーブル等の導管を同時に布設乃至取替える場合に用いる本発明実施例３の斜視図である。この場合も原理的には導管１本の場合と同様である。
【００２９】
なお、図１３に導管フレキシブル接合部断面（ＪＩＳＧ５５２６−５５２７）を示すが、よく用いられるこのような一般的なフレキシブル接合部を用いた場合でも、本発明では長い接合導管に生じる曲り歪みが分散されるので導管接合部の一つだけが移動溝の片側に行き着くような動きが少なくてすみ、殆ど中立点ＮＰ付近からの僅かなズレで済むので、その後の地震または水害等の外乱にも故障が少なくて済む。
【００３０】
【発明の作用】
本発明では従来技術のようにタイロッドで繋がれた１対の支持板間に単に張力を与える代わりに、逆に後方の支持板を軸方向に押圧する事によりタイロッドに圧縮力を与え、先頭側支持板に押圧力を与えるようにする。この時、導管先端部は一応の位置決め方向性を保ち乍ら、鞘管内の内径壁面に追随する。従って予め１対の導管同志の接合部に与えた前後略同ストロークの軸方向クリアランスを維持する事が容易に可能となる。
【００３１】
すなわち本発明では、導管挿入の前段階で予め精密に位置決めされた導管同志の軸方向クリアランス中央位置におけるオーバーラップを、１対の支持板間の弾性体であるタイロッドで以て、鞘管内の導管挿入後も保証するのである。
【００３２】
従って、鞘管内に導管を挿入完了後、その侭の位置で導管接合部は＋−１／２Ｌの全ストロークのクリアランスを保ち、その後の長期に亘る耐震性を保証出来るという格別の作用を発揮する事が出来る。
【００３３】
この作用は地震発生時のライフライン維持の見地から一般化している耐震継手を持つ導管の鞘管内布設において、極めて有効で望ましい作用であると云う事が出来る。
【００３４】
【発明の効果】
本発明を実施する事により、前記目的のすべてが達成される。すなわち発進側立坑のみで複数導管のセットと鞘管内への複数導管の挿入が可能となり、従って到達側立坑の省略が出来、さらにこれはカーブのある鞘管にも適用可能であり、導管のずれや曲りを許容しつつ、過度な回転を防止し、かつガイドの有無に拘らず導管のセルフアライニングを可能とし、支持板の進行を安定化する事が出来る。
【図面の簡単な説明】
【図１】ウインチで鋼索を介して導管を引張るレールを用いた実施例１の側面図。
【図２】図１の要部平面図。
【図３】図１のＡ−Ａ矢視図。
【図４】図３のＣ−Ｃ矢視図。
【図５】図１の要部Ｂ−Ｂ矢視図。
【図６】油圧シリンダで押圧する実施例２の側面図（ないし平面図）。
【図７】曲管である鞘管に接合導管を挿入する実施例１または２の平面断面図。
【図８】支持板のタイロッド接合部拡大断面図。
【図９】直管である鞘管に接合導管を挿入するレールなし実施例３の平面図ないし側面図。
【図１０】接合導管先端部の軸方向断面図。
【図１１】２番目の接合導管の軸方向矢視断面図。
【図１２】複数導管を同時に鞘管に挿入する実施例３の斜視図。
【図１３】フレシキブル導管接合部の断面図。
【図１４】曲管である鞘管に直管に近い接合導管を挿入する従来技術。
【図１５】車台が転倒に至る従来技術。
【図１６】車輪付き導管が転倒に至る従来技術。
【符号の説明】
１              鞘管
２              導管
２Ａ，２Ｂ      導管接合部
２Ｃ            内面コート
３              支持板
３Ａ            タイロッド接合部
３Ｂ            導管支持孔
３Ｃ            導管位置決めボルト
３Ｄ            ブラケット
４              車台
４Ａ，４Ｂ，４Ｃ，４Ｄ  車輪
４Ｅ            車輪鞘管内壁と支持板の接触防止のための車輪
５              押圧板
５Ａ            ハンガー
６              ボールジョイント
６Ａ            ダブルナット
６Ｂ            ボルト
７              横木
７Ａ            テーパローラベアリング
８              鋼索
９              鋼索係止部
１０            滑車
１１            ウインチ
１２            リール
１３            ガイド（レール）
１３Ａ          アングルレール
１３Ｂ          Ｌ型平レール
１５            パッキング
１６            移動溝
１６Ａ，１６Ｂ，１６Ｃ  ストッパ
１７            リングストッパ
１８            ボルト
１９            ナット
２０            タイロッド
３０            油圧シリンダ
３１            ピストンロッド
３２            フック
１００          発進側立坑
Ｌ              全ストローク
【図１】
2005060936.tif 000003
【図２】
2005060936.tif 000004
【図３】
2005060936.tif 000005
【図４】
2005060936.tif 000006
【図５】
2005060936.tif 000007
【図６】
2005060936.tif 000008
【図７】
2005060936.tif 000009
【図８】
2005060936.tif 000010
【図９】
2005060936.tif 000011
【図１０】
2005060936.tif 000012
【図１１】
2005060936.tif 000013
【図１２】
2005060936.tif 000014
【図１３】
2005060936.tif 000015
【図１４】
2005060936.tif 000016
【図１５】
2005060936.tif 000017
【図１６】
2005060936.tif 000018
【手続補正書】
【提出日】平成15年8月18日(2003.8.18)
【手続補正１】
【補正対象書類名】明細書
【補正対象項目名】００１５
【補正方法】変更
【補正の内容】
【００１５】図１〜７において、
発進側立坑１００の床面（鞘管内壁床面とほぼ同レベル）上に敷設されたレール上に、接合された導管２，２を遊嵌するところの、４本のタイロッド２０，２０，２０で繋がれた１対の支持板３，３（支持板Ａ，Ｂ）が各支持板３，３下部に枢着された車輪４Ａ，４Ｂを介して載置されている。


【手続補正２】
【補正対象書類名】明細書
【補正対象項目名】００２２
【補正方法】変更
【補正の内容】
【００２２】またタイロッド接合部３Ａは単にＪＩＳＧ３１０８，３１０９，３１１１，３１１２，３１１７，３１２３，ＪＩＳＧ４３０３，４３１１，４３１８，４９０１等の棒鋼また鋼棒よりなる、タイロッド２０を支持板３にやや隙間クリアランスを以て接合するのみで良いが、図８のように支持板３側に少しタイロッド径よりもやや大き目の孔を開け、断面ローマ数字２型の、糸捲き型ゴムまたはエラストマー（弾性プラスチック）製緩衝材をかませ、更に金属製ワッシャ（スプリングワッシャでも良い）を介してナット等で係止するのが良い。


【手続補正３】
【補正対象書類名】明細書
【補正対象項目名】００２６
【補正方法】変更
【補正の内容】
【００２６】また、先述の車輪４Ｃ（先端部）は特に導管先端部ステアリングも受け持つため、適当なトーイン角を与える事が好ましい。キャンバーについては床面がＣｏｎｃａｖｅである限りはラジアル方向（図１１の４Ｄ）で充分であるが、更にキャンバー、インバースキャンバーも必要に応じて与える事が出来る。通常は図１０の如く先端部にトーイン、中、後部には図１１の如きラジアル方向キャンバーないし鉛直キャンバーを与えるのが望ましい。